(57)【特許請求の範囲】
【請求項１】
タイルが目地間隔をあけて複数枚配列され、隣接するタイル同士が部分的に連結用樹脂によって接合されているタイルユニットにおいて、
各タイルの前面が非平坦状であり、
各タイルの側面は、下部がタイル裏面に対し略垂直であり、上部が傾斜面であり、
隣接するタイルの側面のうち、一方のタイルの側面と、この側面の延長線上に位置する他方のタイルの側面とは各傾斜面の傾斜角度が異なっていることを特徴とするタイルユニット。
【請求項２】
タイルが目地間隔をあけて複数枚配列され、隣接するタイル同士が部分的に連結用樹脂によって接合されているタイルユニットにおいて、
各タイルの前面が非平坦状であり、
隣接するタイルの厚さが異なっており、
各タイルの側面は、下部がタイル裏面に対し略垂直であり、上部が傾斜面であり、
隣接するタイルの側面のうち、一方のタイルの側面と、この側面の延長線上に位置する他方のタイルの側面とは各傾斜面の傾斜角度が異なっていることを特徴とするタイルユニット。
【発明の詳細な説明】
【０００１】
【発明の属する技術分野】
本発明は、複数枚のタイルが目地間隔をあけて配置され、隣接するタイル同士が連結用樹脂によって部分的に連結されたタイルユニットに関するものである。詳しくは、本発明は、自然感に富んだタイル壁面を形成し得るタイルユニットに関する。
【０００２】
【従来の技術】
複数のタイルを連結したタイルユニットを壁面に張り付け施工すると、タイルを１枚ずつ張り付け施工する場合に比べ、施工効率が著しく向上する。このようなタイルユニットとして、複数枚のタイルが縦横に配置され、隣接するタイル同士が連結用樹脂によって部分的に連結されたタイルユニットが広く用いられるようになってきている。
【０００３】
図１０はタイル１同士を連結用樹脂２によって連結したタイルユニットの背面図（裏面の正面図）、図１１は図１０のＡ−Ａ線に沿う断面図である。連結用樹脂２はタイル１の裏面と、タイル１の側辺の裏近傍部との双方に付着している。なお、この従来例にあっては、タイル１は、裏面に複数の裏溝４が形成されている。ただし、これ以外の各種タイルもタイルユニットに用いられている。
【０００４】
このようなタイルユニットを製造するには、図１２の通り、定盤３上の所定位置に連結用樹脂２を盛り付け、真空チャック等によってチャックされたタイル１の群を定盤３上に向って下降させ、連結用樹脂２でタイル１同士をつなぐようにする。
【０００５】
【発明が解決しようとする課題】
このようなタイルユニットの目地部が一様な直線からなり、タイルの前面が平坦であると意匠的な面白みが欠けた単調な外観のものとなってしまう。
【０００６】
また、タイルの寸法のばらつきによって目地の不揃いが強調され、違和感の強いタイル壁となってしまう。
【０００７】
タイルを意図的にずらしたタイルユニットも考えられているが、タイルユニット製造時にタイルの位置決めが面倒となり、製造効率がかなり悪くなる。
【０００８】
本発明は、このような問題点を解決し、あたかも自然石を張ったかの如く視覚されるタイル壁を構築することができ、しかも製造も容易なタイルユニットを提供することを目的とする。
【０００９】
【課題を解決するための手段】
本発明（請求項１）のタイルユニットは、タイルが目地間隔をあけて複数枚配列され、隣接するタイル同士が部分的に連結用樹脂によって接合されているタイルユニットにおいて、各タイルの前面が非平坦状であり、各タイルの側面は、下部がタイル裏面に対し略垂直であり、上部が傾斜面であり、隣接するタイルの側面のうち、一方のタイルの側面と、この側面の延長線上に位置する他方のタイルの側面とは各傾斜面の傾斜角度が異なっていることを特徴とするものである。
【００１０】
このタイルユニットは、タイルの前面が非平坦であり、自然石調のものとなる。
【００１１】
また、タイルの側面の下部をタイル裏面と垂直とし、上部を傾斜面（タイルの中央側から辺縁に向って次第にタイル厚さが小さくなるように該傾斜面が形成されている。）とし、且つ、隣接するタイルの側面のうち、一方のタイルの側面と、この側面の延長線上に位置する他方のタイルの側面とは各傾斜面の傾斜角度が異なっている構成とすることにより、タイルの前面の角縁が非直線状で不揃いとなり、自然石調の情趣が一層強まったものとなる。
【００１２】
本発明（請求項２）のタイルユニットは、タイルが目地間隔をあけて複数枚配列され、隣接するタイル同士が部分的に連結用樹脂によって接合されているタイルユニットにおいて、各タイルの前面が非平坦状であり、隣接するタイルの厚さが異なっており、各タイルの側面は、下部がタイル裏面に対し略垂直であり、上部が傾斜面であり、隣接するタイルの側面のうち、一方のタイルの側面と、この側面の延長線上に位置する他方のタイルの側面とは各傾斜面の傾斜角度が異なっていることを特徴とするものである。
【００１３】
隣接するタイルの厚さを異ならせることにより、タイル厚さが不揃いとなり、自然石調の情趣が一層強まる。なお、「タイルの厚さ」とは、当該タイルの平均厚さである。
【００１４】
【発明の実施の形態】
図１は請求項２の発明の実施の形態に係るタイルユニットの立面図である。図２はこのタイルユニットを４組並設したタイル壁の立面図、図５はタイルユニットの裏面図、図６はタイルＡの斜視図、図７はタイルＡの平面図と側面図である。なお、図１（ａ），（ｂ）は、同一図であるが、図１（ａ）では各タイルの向きを示すように大文字Ａを記入してある。
【００１５】
このタイルユニット１０は、１６枚のタイルＡを連結用樹脂２（図５）によって連結したものであるが、タイルＡの枚数や連結用樹脂２の配置は図示ものに限定されない。タイルＡ同士の間には目地間隔があいている。このタイルユニット１０は前記図１２の方法により製造されたものである。
【００１６】
タイルＡ及び後述のタイルＢ，Ｃは、側面の下部７がタイル裏面に略垂直であり、側面上部７が傾斜面となっている。４個の傾斜面の傾斜角度θ１，θ２，θ３，θ４はいずれも異なっている。なお、略垂直とは垂直（９０°）に対し±１０°程度の誤差を含むことを意味する。
【００１７】
各タイルＡの前面は非平坦であり、自然石又はその割石の肌様のランダムな凹凸面となっている。隣接するタイル部の向きは異なっている。
【００１８】
各タイルＡの側面の下部６は、隣接するタイル１にわたってほぼ一直線状に延在している。
【００１９】
タイルＡの前面の角縁部５（タイルＡの前面と側面上部７（傾斜面）との交叉辺部）は、図６，７の通り不規則な曲線よりなる。
【００２０】
このタイルユニットは、タイルＡの前面が非平坦状であり、タイルＡの角縁部５は不規則な曲線よりなり、また側面上部７の傾斜角度がその側面の延長線上に位置する隣接するタイル側面上部７と異なっており、目地幅が不規則に変化し、目地がゆらいで見える。そして、全体として自然石を張ったかの如く視覚される意匠性の良好なものである。
【００２１】
このタイルユニットは図２の通り、複数個並設した場合でもジョイント部が全く目立たない。なお、各タイルユニット１０のタイルＡの配列は同一であってもよく、異なっていてもよい。
【００２２】
なお、側面の下部６は平面に限定されず、凹凸を有した面であってもよい。
【００２３】
図３は３種類のタイルＡ，Ｂ，Ｃを組み合わせた請求項１の発明の実施の形態に係るタイルユニット１１の平面図であり、図４はこのタイルユニット１１を４個の並設したタイル壁の立面図である。図３（ａ）では、タイルの向きを文字Ａ，Ｂ，Ｃの正立、横向き又は倒立により示している。なお、図３（ａ），（ｂ）は同一図である。図８，９はタイルＢ，Ｃの構成を示すものであり、各々（ａ）図は平面図、（ｂ）図は側面図である。
【００２４】
このタイルＢ，Ｃは、前面の凹凸形状がタイルＡと異なっており、厚さ（平均の厚さ）もタイルＡと異なっている他は、タイルＡとほぼ同様の構成となっている。
【００２５】
図３（ａ）の通り、このタイルユニット１１では隣接するタイルの種類が異なる。また、各タイルも、種々の向きとなっている。
【００２６】
このように複数種類のタイルＡ，Ｂ，Ｃを混在させ、且つタイルの向きを種々様々とすることにより、著しく自然感に富んだタイル壁を構築することができる。なお、この図３のタイルユニット１１においても、目地幅が不規則に変化し、目地がゆらいで見える。そして、図４の如く、複数個のタイルユニット１１を並設した場合でもジョイント部が全く目立たない。
【００２７】
なお、この図３，４のタイルユニット１１は３種類のタイルを用いているが、４種類以上のタイルを用いてもよい。
【００２８】
本発明のタイルユニット１０，１１は、接着剤とくに弾性接着剤によって壁面に張り付け施工されることが好ましい。
【００２９】
このタイルユニット１０，１１は、タイルＡ，Ｂ，Ｃの側面の下部６が裏面に垂直となっているため、タイルを並列配置するときに各タイルを整列させ易く、製造が容易である。また、各タイル同士の目地間隔を小さくすることができ、例えば３ｍｍ以下（実用的には０．５〜３ｍｍとくに１〜３ｍｍ程度）とすることができる。このように目地間隔が小さいタイルユニットは、施工後に目地詰めが不要である。この空目地とすることにより、施工が容易となる。
【００３０】
タイルＡ，Ｂ，Ｃは、いずれも側面上部７が傾斜面となっているため、タイル壁の目地が深く視覚され、深目地調の仕上りが得られる。なお、傾斜面の傾斜角度θ１，θ２，θ３，θ４は３０〜６０°とくに３５〜５５°程度が好ましい。
【００３１】
【発明の効果】
以上の通り、本発明によると、自然石を張ったかの如く視覚される意匠性に優れたタイルユニットが提供される。このタイルユニットは、製造も容易である。
【図面の簡単な説明】
【図１】  実施の形態に係るタイルユニットの平面図である。
【図２】  実施の形態に係るタイルユニットを張り付け施工したタイル壁の立面図である。
【図３】  別の実施の形態に係るタイルユニットの平面図である。
【図４】  実施の形態に係るタイルユニットを張り付け施工したタイル壁の立面図である。
【図５】  実施の形態に係るタイルユニットの裏面図である。
【図６】  実施の形態に係るタイルユニットに用いられるタイルの斜視図である。
【図７】  実施の形態に用いられるタイルの構成図である。
【図８】  実施の形態に用いられるタイルの構成図である。
【図９】  実施の形態に用いられるタイルの構成図である。
【図１０】  従来のタイルユニットの裏面図である。
【図１１】  図１０のＡ−Ａ線に沿う断面図である。
【図１２】  タイルユニットの製造法を示す縦断面図である。
【符号の説明】
１  タイル
２  連結用樹脂
３  定盤
４  裏足
５  角縁部
６  側面下部
７  側面上部
１０，１１  タイルユニット
Ａ，Ｂ，Ｃ  タイル
【図１】
0003729049.tif 000002
【図２】
0003729049.tif 000003
【図３】
0003729049.tif 000004
【図４】
0003729049.tif 000005
【図５】
0003729049.tif 000006
【図６】
0003729049.tif 000007
【図７】
0003729049.tif 000008
【図８】
0003729049.tif 000009
【図９】
0003729049.tif 000010
【図１０】
0003729049.tif 000011
【図１１】
0003729049.tif 000012
【図１２】
0003729049.tif 000013